(57)【要約】【課題】入浴介護用リフトについてコストの高騰を伴わずに浴槽外の乗降位置と浴槽内の入浴位置との間で、被介護者をスムース且つ安定的に移動可能とする。【解決手段】基端部が本体１０に軸支され先端部に座椅子１４を連結・釣支したリフトアーム１２ａの先端側を水道圧駆動式のシリンダ１５で昇降させるとともに本体１０が回動することにより、乗降位置と入浴位置との間で被介護者を移動させる入浴介護用リフト１であって、リフトアーム１２ａは基端部と先端部の間にシリンダロッド１５ｂの先端が下方から連結し、シリンダ１５は基端側が本体１０に軸支されて先端側が仰角方向に揺動可能とされ、切替弁１７を操作することでシリンダロッド１５ｂを進退させて座椅子１４を昇降するものとされ、且つリフトアーム１２ａには先端側を常に上昇方向に付勢する補助シリンダ１６が設けられてシリンダ１５のリフト方向の駆動力を補助するように作用するものとした。【選択図】図１
2011024646.tif 000002
【特許請求の範囲】
【請求項１】
基端部が本体に軸支され先端部に座椅子を連結・釣支したリフトアームの先端側を水道圧駆動式のシリンダで上下動させるとともに前記本体を回動させることにより、浴槽外の乗降位置と浴槽内の入浴位置との間で被介護者を移動させる入浴介護用リフトにおいて、
前記リフトアームは前記基端部と前記先端部の間の所定位置に前記シリンダのシリンダロッド先端が下方から連結し、前記シリンダは基端側が前記本体に軸支されて先端側が仰角方向に揺動可能とされており、水道圧の導入・放出を切替える切替弁を操作することにより前記シリンダロッドを進退させて前記座椅子を昇降するものとされ、且つ、前記リフトアームにはその先端側を常に上昇方向に付勢する付勢手段が設けられて前記シリンダによるリフト方向の駆動力を補助するように作用する、ことを特徴とした入浴介護用リフト。
【請求項２】
平滑な上面を水平にして床面に配置される回動支持板を備え、前記本体が、下端側に複数のキャスターを有して回動支持板上に配置されているとともに前記回動支持板上の所定位置に鉛直方向の枢軸で下端側所定部分が連結されて、前記枢軸を中心に前記キャスターで前記回動支持板上を走行しながら回動可能とされており、前記座椅子が前記乗降位置上方と前記浴槽上方の間を手動で水平移動可能とされている、ことを特徴とする請求項１に記載した入浴介護用リフト。
【請求項３】
前記本体の前記座椅子を釣支した側とは逆側の下端部には、水平方向に突出したブラケットの上面に車輪を上向きにしたキャスターが配設され、前記回動支持板上の前記本体の回動軌道外周側に沿って均一高さで支持されてなる略弧状の転倒防止板が配設されており、前記キャスターが前記転倒防止板下面に当接することにより前記本体が前記座椅子側に転倒することを防止する転倒防止機構を構成している、ことを特徴とする請求項１または２に記載した入浴介護用リフト。
【請求項４】
基端部が前記本体に軸支され先端部が前記座椅子に連結されて前記リフトアームとともに平行四辺機構を構成する補助アームが配設されており、前記リフトアームで昇降動作を行っても前記座椅子の釣支角度が変動しない、ことを特徴とする請求項１，２または３に記載した入浴介護用リフト。
【請求項５】
前記回動支持板には、前記本体の所定部分を前記回動支持板側に係止することにより、前記乗降位置及び前記入浴位置で前記本体の回動を前記回動支持板上で各々固定するとともにワンタッチで固定解除可能な回動固定手段が設けられている、ことを特徴とする請求項１，２，３または４に記載した入浴介護用リフト。
【請求項６】
前記付勢手段は、前記シリンダに並列して前記リフトアームの所定位置と前記本体との間に架設されたガススプリングであり、そのリフト方向の付勢力が、少なくとも前記リフトアーム先端部で釣支している座椅子による荷重と釣り合うレベルとされている、ことを特徴とする請求項１，２，３，４または５に記載した入浴介護用リフト。
【発明の詳細な説明】
【技術分野】
【０００１】
本発明は入浴介護用リフトに関し、殊に、先端に座椅子を連結したリフトアームを昇降させる動力源に水道圧を使用し、浴槽内の入浴位置と浴槽外の乗降位置との間で被介護者を移動させるための入浴介護用リフトに関する。  
【背景技術】
【０００２】
体の不自由な高齢者や障害者などの被介護者を、所定の駆動機構で持ち上げながら浴槽外と浴槽内の間を移動させることにより、介護者の労力を大きく軽減する入浴介護用リフトが近年普及している。例えば特開平１０−２３０００６号公報等に記載され図７に示すもののように、浴槽２００に近接配置した本体１０１から上向きに延設した昇降シリンダ１０２の上端部に、座椅子１０４を先端側に連結したアーム１０３を遠心方向に設けるとともに昇降シリンダ１０２の周りを回動可能として、本体１０１内の電動ポンプで作動油を昇降シリンダ１０２に送り座椅子１０４を昇降させるものとした、入浴介護用リフト１００が提案されている。
【０００３】
このような構成の入浴介護用リフト１００を使用することにより、被介護者の上下方向の移動、及び浴槽２００の上方と乗降位置上方との間の水平移動を自動化して、従来被介護者を抱えて移動させていた介護者の労力を大きく軽減することができる。
【０００４】
しかし、この入浴介護用リフト１００は、動力源に電力を使用していることから、水に濡れやすい浴室内では感電事故の危険が常に伴いやすい。また、油圧式のシリンダに加えて電動ポンプや制御回路等の精密電機部品、及びこれらの防水対策を要するために製造コストが嵩みやすい点も、その普及においてネックとなっている。
【０００５】
さらに、上述したように本体１０１から立設した１本の昇降シリンダ１０２の上端部からアーム１０３を側方に延設して先端側に座椅子１０４を釣支する構成であることから、アーム１０３を旋回させる際に支柱となる昇降シリンダ１０２の中心軸線から荷重位置（作用点）が遠くなり、昇降シリンダ１０２に大きな力が加わることになる。そのため、先端側の座椅子１０４が揺動してスムースに旋回しにくくなり、被介護者に不安感・恐怖感を与えてしまう。
【０００６】
斯かる問題に加え、座椅子１０４を寝かせた状態にして設けると荷重位置が回転軸からさらに遠くなることから、図のように座椅子１０４を起こした状態にする必要があるため、例えば浅い浴槽の場合には、被介護者の上半身が湯に浸からない姿勢となって、入浴の快適さを損なうことに繋がる。
【０００７】
一方、特開平１１−１６９４２４号公報や特開２００７−１３０３８７号公報には、動力源として水道圧を使用する水道圧駆動式の入浴介護用リフトが提案されている。これらの装置は、水道圧をシリンダに導入してピストンを摺動させることで座椅子を上下方向や水平方向に移動させる構成であることから、感電事故の危険性を確実に回避できるとともに精密電機部品を用いないものであるため、比較的低コストで製造することができる。
【０００８】
ところが、これら水道圧駆動式の装置は、水道圧によるシリンダの動作で座椅子を直接的に垂直方向または水平方向に移動させるものであるところ、前述の電動ポンプによる油圧と比べて水道圧は格段に低いものであり時間当たりの水量も限定されていることから、荷重に応じた比較的大径のシリンダを使用することになるため、公共の水道圧が比較的低い地域では駆動スピードが極端に遅くなりやすい。
【０００９】
そのため、浴槽内や乗降位置から被介護者を持ち上げるリフト動作や浴槽上方と乗降位置上方との間の水平移動に際し、各々長時間を要するケースも多くなりやすい。また、例えば図７に示した入浴介護用リフト１００において、動力源として電動ポンプの代わりに水道圧を使用した場合には、昇降シリンダ１０２の大径化が必要となって駆動スピードが遅くなってしまう。
【先行技術文献】
【特許文献】
【００１０】
【特許文献１】特開平１０−２３０００６号公報
【特許文献２】特開平１１−１６９４２４号公報
【特許文献３】特開２００７−１３０３８７号公報
【発明の概要】
【発明が解決しようとする課題】
【００１１】
本発明は、上記のような問題点を解決しようとするものであり、入浴介護用リフトについて、コストの高騰を伴わずに浴槽外の乗降位置と浴槽内の入浴位置との間で、被介護者をスムース且つ安定的に移動できるようにすることを課題とする。
【課題を解決するための手段】
【００１２】
そこで、本発明は、基端部が本体に軸支され先端部に座椅子を連結・釣支したリフトアームの先端側を水道圧駆動式のシリンダで上下動させるとともに本体を回動させることにより、浴槽外の乗降位置と浴槽内の入浴位置との間で被介護者を移動させる入浴介護用リフトにおいて、そのリフトアームは基端部と先端部の間の所定位置にシリンダのシリンダロッド先端が下方から連結し、そのシリンダは基端側が本体に軸支されて先端側が仰角方向に揺動可能とされており、水道圧の導入・放出を切替える切替弁を操作することによりシリンダロッドを進退させて座椅子を昇降するものとされ、且つ、このリフトアームにはその先端側を常に上昇方向に付勢する付勢手段が設けられてシリンダによるリフト方向の駆動力を補助するように作用する、ことを特徴とするものとした。
【００１３】
このように、先端部に座椅子を連結し基端部が本体に軸支されたリフトアームの中間位置に、水道圧駆動式シリンダのシリンダロッド先端を連結するとともに、このリフトアームにシリンダのリフト方向の駆動力を補助する付勢手段を設けたことにより、電動ポンプ駆動式と比べて流体圧力が格段に低い水道圧駆動式であっても、スムースなリフト動作を実現しやすいものとなり、且つ、１本の昇降シリンダが支柱となってアームを支持し動作の安定性に欠ける従来例と比べて、少なくともリフトアームの基端部と中間部の２点で支持したことにより、動作時に揺動しにくく安定性を確保しやすいものとなる。
【００１４】
またこの入浴介護用リフトは、平滑な上面が水平となるように床面に配置される回動支持板を備え、その本体が、下端側に複数のキャスターを有して回動支持板上に配置されているとともにこの回動支持板上の所定位置に鉛直方向の枢軸で下端側所定部分が連結されて、その枢軸を中心にキャスターで回動支持板上を走行しながら回動可能とされており、その座椅子が乗降位置上方と浴槽上方の間を手動で水平移動可能とされたことを特徴としたものとすれば、電力を用いずに浴槽上方と昇降位置上方との間で座椅子を容易に水平移動させることができ、且つ、その水平移動はキャスターの回転により座椅子の揺動を最小限にしてスムースかつ安定的に行えるものとなる。
【００１５】
さらに、上述した入浴介護用リフトにおいて、その本体の座椅子を釣支した側とは逆側の下端部には、水平方向に突出したブラケットの上面に車輪を上向きにしたキャスターが配設され、回動支持板上の本体の回動軌道外周側に沿って均一高さで支持されてなる略弧状の転倒防止板が配設されており、そのキャスターが転倒防止板下面に当接することにより本体が座椅子側に転倒することを防止する、転倒防止機構を構成していることを特徴とするものとすれば、本体が転倒する畏れが解消されて一層安全性に優れたものとなる。
【００１６】
さらにまた、上述した入浴介護用リフトにおいて、基端部が本体に軸支され先端部が座椅子側に連結されてリフトアームとともに平行四辺機構を構成する補助アームが配設されており、リフトアームで昇降動作を行っても座椅子の釣支角度が変動しないことを特徴としたものとすれば、座椅子の昇降時に座面の角度が変動したり揺動したりしないものとなって、被介護者に不安感を与えにくいものとなる。
【００１７】
加えて、上述した入浴介護用リフトにおいて、その回動支持板には、本体の所定部分を回動支持板側に係止することにより、乗降位置及び入浴位置で本体の回動を回動支持板上で各々固定するとともにワンタッチで固定解除可能な回動固定手段が設けられたことを特徴としたものとすれば、被介護者の乗降時及び入浴時に本体が回動することによる危険を回避することができ、介護者の手間を要さずに安全性を確保できるものとなる。
【００１８】
また加えて、上述した入浴介護用リフトにおいて、その付勢手段は、シリンダに並列してリフトアームの所定位置と本体との間に架設されたガススプリングであるものとして、そのリフト方向の付勢力が、少なくともリフトアーム先端部で釣支している座椅子による荷重と釣り合うレベルとされているものとすれば、シリンダロッドの進退位置が異なっても弾性反発力の変動が少ないガススプリングにより、水道圧駆動式シリンダのリフト方向の駆動力を安定的に補助することができる。
【発明の効果】
【００１９】
リフトアームの途中位置に水道圧駆動式のシリンダのシリンダロッド先端を連結するとともに、シリンダのリフト方向の駆動力を補助する付勢手段を設けた本発明によると、コストの高騰を伴うことなく浴槽外の乗降位置と浴槽内の入浴位置の間で、被介護者をスムース且つ安定的に移動させることができるものである。
【図面の簡単な説明】
【００２０】
【図１】本発明における実施の形態の入浴介護用リフトの側面図である。
【図２】図１の入浴介護用リフトにおいて水道圧の導入・開放経路を示す液圧回路構成図である。
【図３】図１の入浴介護用リフトの転倒防止機構の詳細を示す側面部分拡大図である。
【図４】図１の入浴介護用リフトの転倒防止機構及び本体回動固定手段の詳細を示す平面部分拡大図である。
【図５】図１の入浴介護用リフトの座椅子を乗降位置上方に支持した状態を示す平面図である。
【図６】図１の入浴介護用リフトの座椅子を浴槽上方に支持した状態を示す平面図である。
【図７】従来の入浴介護用リフトの側面図である。
【発明を実施するための形態】
【００２１】
以下に、図面を参照しながら本発明を実施するための形態を説明する。尚、本発明において、キャスターには車輪の方向が自由に変動するもののほか、所定の軌道を走行するように車輪の方向が固定されたものも含むものとする。
【００２２】
図１は、本実施の形態の入浴介護用リフト１を浴室に設置した状態を示す側面図である（浴槽５０は縦断面図）。この入浴介護用リフト１は、浴室の狭い一般家庭用としてではなく、老人介護施設や病院等の業務用として使用することを想定したものであり、浴槽５０外の床面６０にある程度の設置スペースを要するものである。
【００２３】
入浴介護用リフト１は、総ての部品がステンレス鋼等の防錆能及び強度に優れた素材からなり、高さ調整可能な脚１１０ａ，１１０ａ，１１０ａ，１１０ｂにより、浴室の床面６０上に所定高さで水平に支持され上面が平滑な回動支持板１１が配設されており、この回動支持板１１の浴槽５０側の端縁部から、Ｌ字状の転倒防止脚１９，１９が浴槽５０の底面まで延設されて、その安定性を確保するようになっている。
【００２４】
水平に支持された回動支持板１１の上面には、ボックス状の本体１０が設置され、この本体１０の上部には、先端部に被介護者を乗せる座椅子１４を連結・釣支したリフトアーム１２ａが、仰角方向所定範囲で上端側を上下可能に軸支されており、このリフトアーム１２ａで座椅子１４を昇降させることに加え、本体１０が回動支持板１１上で回動することにより、浴槽５０外の乗降位置と浴槽５０内の入浴位置の間で座椅子１４に乗った被介護者（入浴者）を移動させるようになっている。
【００２５】
その本体１０は、下端側の四隅付近に各々配設されたキャスター３０，３０，３０，３０で回動支持板１１上に支持されているとともに、その下端面所定位置から下向き（鉛直方向）に延設された枢軸２０が、回動支持板１１上に設けたドーナツ状の軸受１１ａに挿入されて回動支持板１１側に連結されており、本体１０はこの枢軸２０を中心として回動支持板１１上で回動可能とされて座椅子１４が枢軸２０の延長線を中心として水平方向に旋回するようになっており、この点が本実施の形態における第１の特徴部分となっている。
【００２６】
このような構成としたことにより、図７に示した１本の昇降シリンダ１０２を支柱及び中心軸としてアーム１０３及び座椅子１０４を旋回させる構成の従来例と比べて、座椅子１４の旋回安定性が格段に向上したものとなっている。尚、本実施の形態においては、各キャスター３０は車輪の方向が回転軌道に沿う角度で固定されたものであるが、回転軸が固定されていることから車輪方向を可変としたものを用いても実施可能である。また、本体１０の上部からは回動操作バー１０ｃが側方に延設されており、介護者がこれを把持しながら手動で本体１０の回動操作をスムース且つ容易に行えるようになっている。
【００２７】
一方、先端部に座椅子１４の上端側を連結・釣支しているリフトアーム１２ａは、左右に並列した２本の棒状部材を中間で連結したＨ字状の部材とされて強度を確保しており、その基端部が本体１０上部に軸支されてこの基端部と先端部の間のやや先端部寄りに、基端側を本体１０底部に軸支され先端側が仰角方向に揺動可能とされた水道圧駆動式のシリンダ１５のシリンダロッド１５ｂ先端が下方から軸着して連結されており、このシリンダロッド１５ｂの進退動作でリフトアーム１２ａ先端側を上下動させるようになっている。
【００２８】
このシリンダ１５は、図２の液圧回路構成図に示すように、配管４０ａで水道圧を切替弁１７に導入しながら切替レバー１７ａで操作することにより、シリンダ１５に接続された上昇用の配管４０ｂと下降用の配管４０ｃへの水道圧の導入と、これらと排水用の配管４０ｄを介した開放（排出）の切替えを行い、ピストン１５ａを上下に摺動させてシリンダロッド１５ｂの進退動作を行うようになっている。
【００２９】
しかし、前述したように、公共の水道圧は一般に２〜８kgf／cm2あり、電動ポンプによる油圧と比べて格段に低いものであり、殊に、水道圧が３kgf／cm2未満となるような地域では、所定レベル以上のリフト力を確保するためにシリンダ径を大径化することになって作動スピードが極端に低下してしまう。
【００３０】
そこで、本発明においては、水道圧駆動式のシリンダ１５に加え、これに並列してリフトアーム１２ａ中間位置と本体１０との間にガススプリング（ガス封入式シリンダ）１６を架設して、シリンダ１５によるリフト方向の駆動力を補助するように作用させる構成としており、この点が本実施の形態における第２の特徴部分となっている。
【００３１】
ところで、シリンダ１５のリフト方向の駆動力を補助する付勢手段にガススプリング１６を使用しているのは、リフトアーム１２ａの仰角が変動することでシリンダロッドの進退位置が変動しても、付勢手段にコイルバネを用いる場合と比べて弾性反発力の変動が少ないことため、補助駆動力として安定性に優れているからである。
【００３２】
また、図５の平面図に示すように、本実施の形態においてそのリフトアーム１２ａは、その強度確保のために左右に並列した２本の棒状部材で構成されており、ガススプリング１６も並列して２本配設されている。尚、このガススプリング１６，１６を合算した付勢力は、少なくともリフトアーム１２ａ先端部に釣支した座椅子１４の荷重と釣り合うレベルとすることが、水道圧が低い場合でも昇降動作のスムースさを確保する観点で好ましい。
【００３３】
また、このリフトアーム１２ａの下側に並列しながら基端部を本体１０上部側に軸支され先端部を座椅子１４上部側に軸着されてリフトアーム１２ａとともに平行四辺機構を構成する、２本の棒状部材からなる補助アーム１２ｂが配設されている。これにより、リフトアーム１２ａで昇降動作を行った場合に、その角度に関わらず座椅子１４の釣支角度は変動しないものとなり、昇降動作時にシート１４ａの座面角度が変動したり揺動したりしないことから、被介護者に不安を与えにくいものとなっている。
【００３４】
図３は、図１の入浴介護用リフト１における、本体１０の転倒防止機構の詳細を示す側面部分拡大図である。この転倒防止機構は、本体１０の座椅子１４を釣支した側とは逆側の下端部から水平方向に延設した平板状のブラケット１０ｂ上面に、車輪を上向きにしたキャスター３０が配設されており、回動支持板１１上における本体１０の回動軌道外周側に沿って均一高さで支持されてなる略弧状の転倒防止板１８（図５の平面図参照）の下面に、このキャスター３０が下から当接してなるものである。
【００３５】
このように、上向きのキャスター３０が転倒防止板１８の下方に位置しながら転倒防止板１８の下面に当接する構成としたことで、本体１０が座椅子１４側に転倒することを確実に回避できるようになっている。斯かる構成は、前述した本体１０の安定的な回動と相俟って、図１に示したように座椅子１４を従来例よりも寝かせた状態にして荷重位置を遠くした場合でも、安定的且つ安全な動作を実現できるものとしている。そのため、浴槽が比較的浅い場合であっても、被介護者は肩まで湯に浸かることができ、快適な入浴姿勢を確保できるものとなる。
【００３６】
図４は、本体１０の転倒防止機構、及び本体１０の回動固定手段の詳細を示す平面部分拡大図を示している。本実施の形態においては、ブラケット１０ｂ上にキャスター３０が上向きに２基配設されており、キャスター３０，３０が転倒防止板１８に強く当接しても本体１０がスムース且つ安定的に回動しやすくなっている。
【００３７】
また、そのブラケット１０ｂには、回動支持板１１上に配置した係止金具３１ａの矢尻状の先端部が係合して本体１０を入浴位置で回動支持板１１側に係止し回動を固定する係止孔を備えた係止部１１２が設けられており、係止金具３１ａとともに本体１０の回動固定手段を構成している。
【００３８】
これと同様に、本体１０の座椅子１４側の側面からは係止孔を備えた係止板１０ｄが突設されており、これに係合するもう１つの係止金具３１ｂが乗降位置で本体１０の回動を固定する回動支持板１１上の位置に配設されている（図５参照）。これら２つの回動固定手段により、乗降位置及び入浴位置で本体１０が不用意に回動してしまうトラブルを各々回避できるようになっている。尚、係止金具３１ａ，３１ｂは、バネ部材で先端側が下向きに付勢され本体１０の回動により係止孔に自動的に係合するとともに、その基端側を踏むだけで矢尻状の先端部が持ち上がってワンタッチで係合状態を解除できるようになっている。
【００３９】
次に、本実施の形態の入浴介護用リフト１の水平方向の回動動作について、図５，６を用いながらさらに詳細に説明する。
【００４０】
図５は、図１の入浴介護用リフト１の座椅子１４を、浴槽５０外の乗降位置上方に持ち上げた状態の平面図を示している。Ａ位置に立って切替弁１７を操作しながら被介護者が乗った座椅子１４のリフト操作を行った介護者は、座椅子１４が水平移動位置（最高位置）にリフトされた時点でＢ位置に移動し、足元の係止金具３１ｂを踏んで本体１０の回動固定状態を解除しながら、手を伸ばして回動操作バー１０ｃを把持し、引き寄せるようにして本体１０を時計回りに回動させる。
【００４１】
すると、図６に示すように、図示しないストッパにブラケット１０ｂの一部が当接して本体１０の回動が停止するとともに、係止金具３１ａがブラケット１０ｂから延出した係止部１１２の係止孔に自動的に係合し、その位置で回動が固定されて昇降動作における安全性を確保することができる。次に、Ｂ位置に立っている介護者は、切替弁１７を操作して座椅子１４が浴槽５０内の入浴位置になるまで降ろし、その後、座椅子１４の傍に移動して入浴の介助を行う。
【００４２】
入浴が完了したら、介護者は再度Ｂ位置に移動して、切替弁１７を操作して座椅子１４を水平移動位置までリフトさせ、その後、係止金具３１ａを踏んで回動固定状態を解除させてから、回動操作バー１０ｃを把持しながら本体１０を反時計回りに回動させて図５の位置に戻すように押す。すると、本体１０はこの位置で係止板１０ｄの一部が図示しないストッパに当接して停止し、係止金具３１ｂが係止板１０ｄの係止孔に係合して回動が固定される。
【００４３】
その後、介護者は再度Ａ位置に移動して切替弁１７を操作し、座椅子１４を浴槽５０外の乗降位置まで降ろしてからＢ位置に戻り、被介護者を座椅子１４から車いす等に移動させる。このように、本実施の形態の入浴介護用リフト１を使用すれば、介護者が一人であっても、総ての操作を比較的容易に行うことができる。
【００４４】
また、本実施の形態の入浴介護用リフト１は、上述したように電力を使用せずに水道圧により座椅子１４の昇降を行う比較的簡易な構成であって、製造コストを比較的低廉に抑えやすいものであるが、ガススプリング１６，１６でシリンダ１５のリフト方向の駆動力を補助するようにしたことで、水道圧駆動式の欠点を補いながらリフト動作における適度な作動スピードを確保可能としている。
【００４５】
さらに、複数のキャスター３０を使用して枢軸２０を中心に本体１０を介護者の手動で回動させるものとしたことで、浴槽５０の上方と浴槽５０外の乗降位置との間を、被介護者をスムース且つ安定的に平行移動させることが可能となり、被介護者に不安感を殆ど与えないものとしている。
【００４６】
以上、述べたように、入浴介護用リフトについて本発明により、コストの高騰を伴うことなく浴槽外の乗降位置と浴槽内の入浴位置の間で、被介護者をスムース且つ安定的に移動できるものとなった。
【符号の説明】
【００４７】
１  入浴介護用リフト、１０  本体、１０ｂ  ブラケット、１０ｃ  回動操作バー、１０ｄ  係止板、１１  回動支持板、１１ａ  軸受、１２ａ  リフトアーム、１２ｂ  補助アーム、１４  座椅子、１４ａ  シート、１５  シリンダ、１５ｂ  シリンダロッド、１６  ガススプリング、１７  切替弁、１８  転倒防止板、２０  枢軸、３０  キャスター、３１ａ，３１ｂ  係止金具、５０  浴槽、６０  床面
【図１】
2011024646.tif 000003
【図２】
2011024646.tif 000004
【図３】
2011024646.tif 000005
【図４】
2011024646.tif 000006
【図５】
2011024646.tif 000007
【図６】
2011024646.tif 000008
【図７】
2011024646.tif 000009